(57)【要約】【課題】シート材が風を受けたり、バリケードが縦に置かれたりした場合に、シート材自体が横棒の一端側へ偏って重なることがないようにする。【解決手段】シート材１１の一端部側を、バリケードの横棒１に巻き付けてこのシート材１１の一部に重ね合わせ、この重ね合わせ部分を締結部材１３、１４を用いて相互に接合および接合解除可能にし、また固定用締結部材１５、１６を、前記横棒１に設けられた２本の吊金具５を挟む位置に、吊金具５に近接して設ける。【選択図】図１
0003139379.tif 000002
【実用新案登録請求の範囲】
【請求項１】
一対の開脚式二股脚の頂部に横棒を張設したバリケードに装填するバリケート用シートであって、
一端部側を前記横棒に巻付けて、その側縁に沿って複数組の取付用締結部材で接合すると共に、該取付用締結部材の内側で、前記横棒に取設されている吊金具の外側位置に、該吊金具に近接して固定用締結部材を取り付けてなり、
前記取付用締結部材の内側で、前記固定用締結部材で前記吊金具の外側近傍を接合することにより前記シートが前記横棒に沿って垂れ下るのを防止したことを特徴とするバリケード用シート。
【請求項２】
前記締結部材が、雄型ホックとこれに着脱可能な雌型ホックからなることを特徴とする請求項１に記載のバリケード用シート。
【請求項３】
前記締結部材が、フック状体とこれに着脱可能なループ状体を噛み合わせる着脱自在の布製のテープからなることを特徴とする請求項１に記載のバリケード用シート。
【考案の詳細な説明】
【技術分野】
【０００１】
本考案は、道路工事や高層建築物などの建設現場の工事現場や各種イベント会場の領域を仕切るためのバリケードに装着されるバリケード用シートに関する。
【背景技術】
【０００２】
道路工事、各種建設工事現場或いは各種イベント会場などでは、安全を確保するために管理或いは規制区域を設け、関係者以外の者が無闇に立ち入らないように、その工事やイベント区域を規制するバリケードで囲むことが行われている。
【０００３】
図４は、野外間仕切り用のバリケードの一般的な形態である。このバリケードは、図４に示すように、長尺な横棒１の両端部に、一対の開脚式二股脚部２ａ，２ｂ，３ａ，３ｂを開脚自在に取り付け、横棒１に表示板４を吊着させたものである。表示板４には、工事区域、進入禁止、標語或いは標識図柄などが表示されている。
図４において、脚部２ａ，２ｂ  および脚部３ａ，３ｂは上端部を横棒１の各一端にピン１０を用いて回動可能に枢着されている。なお、脚部２ａ，２ｂ，３ａ，３ｂはいずれもＬ字型鋼材を主体に形成されている。
【０００４】
また、脚部２ａ，２ｂ間および脚部３ａ，３ｂ間には、リンク片８ａ，８ｂおよび９ａ，９ｂの各一端が回動可能に枢支されている。そして、各リンク片８ａ，８ｂおよびリンク片９ａ，９ｂの各他端は相互にピン１０によって回動可能に枢支されている。
【０００５】
このようなバリケードにあっては、脚部２ａと２ｂ、  脚部３ａと３ｂを、ピン１０，１０を軸に開閉駆動して設置する。
【０００６】
ところで、このようなバリケードでは、金属製の表示板６は、硬く、強風を受けて揺れ、周囲と接触したり、或いは金属製の表示板が吊金具５から外れたりする。この場合、付近の通行人や遊んでいる子供に危害をもたらすことがあった。
【０００７】
この課題の解決手段として、例えば図５に示すような、金属製の表示板６に替えて、厚手の合成樹脂製シート材６が使用されている。
【０００８】
このバリケード用シート６は、図６に示すように、横長のシート生地の中央部６ｃ付近に帯状シート片１２を配し、この下縁側を、熱溶着（図６の点線部分）によって取り付ける。そしてこのシート生地の上縁部縁側６ａ付近の複数箇所例えば５箇所に、略等間隔に締結用の雌型ホック１３，１３…が取り付けられるとともに、帯状シート片１２には前記雌型ホック１３，１３…に対応する位置に雄型ホック１４，１４…が取り付けられている。
【０００９】
また、シート６の下半部の表裏面には、前記表示板４と同様に、工事区域、進入禁止、標語或いは標識図柄などが表示されている。
【００１０】
このような構成になるバリケード用シート６（以下、シート６と称する）は、前記帯状シート片１２がある面を内側にして、シート６ｂがバリケードの横棒１に当接して、横棒１の外周面を包んで廻り込ませる。そして上縁部６ａにある雌型ホック１３，１３…を、前記帯状シート片１２上の雄型ホック１４，１４…に嵌合（連結）する。
これにより、シート６は、図８に示すように、横棒１および吊金具５を包み込むように、その横棒１に吊り下がるように形成される。
【特許文献１】特開平７−３００８２９号公報
【考案の開示】
【考案が解決しようとする課題】
【００１１】
このバリケード用シート６は、柔軟性のある生地を使用しているので、危険性は解消された。しかしながら、保管や、運搬のために、脚部２ａ、２ｂおよび脚部３ａ、３ｂを前述のように折り畳んだり、或いはバリケードを立てた状態で収納保管する場合には、シート６が自重で横棒１の下方にずり落ち、下部で折り重なりシートが波状に屈曲し、時間と共に波打ってしまう。この場合、バリケードを再び使用とする場合には、折り重なったシート材を横棒に沿って引張って戻す（引き伸ばす）作業が必要になる。また、その引張って戻しても波状の皺が残る。さらに、多数のバリケードについてこのような作業を行うのは極めて面倒であり、バリケード設置の作業性が悪いという不都合があった。
【００１２】
本考案は、このような従来の問題点に着目してなされたものであり、バリケート用シートが、運搬時や収納・保管時にバリケードを縦に置いた場合でも、シート自体が自重で横棒の一端側へ偏って重なり、波状の皺が発生したりすることを防止することができるバリケード用シートを提供することを目的とする。
【課題を解決するための手段】
【００１３】
前記目的達成のために、本考案にかかるバリケード用シートは、  一対の開脚式二股脚の頂部に横棒を張設したバリケードに装填するバリケート用シートであって、一端部側を前記横棒に巻付けて、その側縁に沿って複数組の取付用締結部材で接合すると共に、該取付用締結部材の内側で、前記横棒に取設されている吊金具の外側位置に、該吊金具に近接して固定用締結部材を取り付けてなり、前記取付用締結部材の内側で、前記固定用締結部材で前記吊金具の外側近傍を接合することにより前記シートが前記横棒に沿って垂れ下るのを防止したことを特徴とする。
【００１４】
この構成により、横棒に一端部側部を巻きつけるようにして取り付けられたシートは、取付用締結部材での取付とともに、一方の吊金具の左側近傍および他方の吊金具の右側近傍に位置する固定用締結部材によって固定され、横棒に沿う方向への移動が規制される。このため、シートが強風を受け、シートが一方にずれ込んで蛇腹状になったり、或いは収納・保管のため、バリケートを縦に置かれても、固定用締結部材で抑止されるので、横棒上のシートが下方にずり落ちて折り重なることが無い。よって、バケート用シートに波状の皺を生じることもない。
従って、前述のように横棒上で折り重なったシート材を引き伸ばしたり、皺を取り除いたりする一連の作業を一切回避することができ、バリケード設置の作業性を従来に比べて格段に向上することができる。
【００１５】
また、本考案にかかるバリケード用シートは、前記締結部材が、雄型ホックとこれに着脱可能な雌型ホックからなることを特徴とする。
この構成により、シート部材をこれらの雄型ホックおよび雌型ホックを用いて簡単、迅速にバリケードの横棒に装着することができる。
【００１６】
さらに、本考案にかかるバリケード用シートは、前記締結部材が、フック状体とこれに着脱可能なループ状体の２枚を噛み合わせる着脱自在の布製のテープからなる。
この構成により、シート部材をこれらのフック状とループ状の２枚を噛み合わせて着脱自在に簡単、迅速にバリケードの横棒に装着することができる。
【考案の効果】
【００１７】
本考案にかかるバリケード用シートによれば、シートが強風を受けても、またバリケードが縦に置かれたりした場合でも、固定用締結材の作用でシート自体が横棒の一端側へ偏って重なり、波状の皺が発生することを防止することができる。また、収納・保管中のバリケードを再使用する際のシート生地の引き伸ばしや、皺伸ばしの作業が一切不要となる。よって、バリケード設置の作業性を大幅に改善することができる。
【考案を実施するための最良の形態】
【００１８】
以下に、本考案の実施形態によるバリケード用シートを、図面を参照して詳細に説明する。
図１は、本考案の実施の形態によるバリケード用シートを示す平面図、図２は、図１に示すバリケード用シートの要部を示し、（ａ）は、シート装填前の側面図、（ｂ）はシートを横棒に装填した状態を示す要部の断面図、図３は、他の実施態様のバリケード用シートの要部の拡大図を示し、（ａ）は、シート装填前の側面図、（ｂ）はシートを横棒に装填した状態を示す要部の断面図である。
【００１９】
以下、本考案の一実施例を、締結部材を雄型ホックと雌型ホックを使用した例で説明する。
【００２０】
本考案のバリケード用シート１１は、ホリエステル繊維の織物の両面を軟質合成樹脂フイルムで被覆して形成されるビニル系のシート生地で、厚手で、強靭性があり、適度の弾力性と優れた復元力を持つ横長のシート生地である。例えば、
「ターポリン」（商品名）などが好適に使用される。
図１に示すように、横長のシート生地の中央部１１ｂから下部１１ｃ付近に帯状シート片１２を、所定幅で長手方向に熱溶着（点線）によって取り付けられている。そして、このシート生地には、それぞれ取付用固定部材１３，…、１４…と，固定用取付部材１５，…、１６…か配設されている。
【００２１】
取付用固定部材は、前記シート生地の上縁部側１１ａに沿った複数箇所（ここでは、５箇所）に略等間隔で取り付けられる雌型ホック１３と、前記横棒１に当接する部分１１ｂを挟んで取り付けられている前記帯状シート片１２に、前記雌型ホック１３に対応する位置に取り付けられている雄型ホック１４で構成されている。
【００２２】
また、固定用取付部材は、一対の雌型ホック１５，１５と、雄型ホック１６，１６で形成される。横棒１に金属製表示板を吊支持するために設けられた２本の吊金具５を側方から挟む位置に、つまり吊金具５の外側位置に、この吊金具５に近接して設けられている。
【００２３】
このように構成されることにより、シート１１の一端部側１１ａを前記横棒１に巻き付けて中央部１１ｂを介して帯状シート片１２に重ね合わせ、この重ね合わせ部分を複数組のホック１３，１３…、１４，１４…を用いて相互に嵌合させて装着する。
さらに、吊金具５の外側位置にしているホック１５，１５と、ホック１６，１６を嵌合させて、シート１１を横棒１に固定する。
【００２４】
さらに、シート１１の下半部１１ｄの表裏には、工事区域、進入禁止、標語或いは標識図柄などが表示されている。例えば、「安全第一」の標語や、工事中を示す記号などが印刷されている。その他、文字や絵柄などを印刷によって施すことができる。
【００２５】
このように構成されるバリケード用シート１１では、取付用締結部材１３…，１４…で、横棒１に張設する。前記帯状シート片１２がある側を内側にして、シート材１１の各ホック１３…、１４…間の中央部１１ｂを横棒１にこれを包むように当てがう。さらに、横棒１の外周面に廻り込むシート材１１上の雌型ホック１３を、横棒１およびつり金具５の下方に臨む前記帯状シート片１２上の雄型ホック１４に嵌合（連結）する。
これにより、シート材１１は、図２に示すように、横棒１および吊金具５を包み込むように、その横棒１に装填される。
【００２６】
次に、これらのホック１３、１４の結合作業に前後して、バリケードにおける左側の吊金具５の左側に位置するように、１組の雌型ホック１５と雄型ホック１６とを結合し、一方、右側の吊金具５の右側に位置するように、もう１組の雌型ホック１５と雄型ホック１６とを結合する。
【００２７】
これにより、互いに結合された２組のホック１５、１６は、横棒１の吊金具に近接し、しかも吊金具５の略水平方向に重なる位置に臨むため、横棒１に沿った移動が規制される。従って、戸外でバリケードおよびシート材１１が強風を受けるようなことがあっても、またバリケードが立てられて運搬、収納された場合でも、シート材１１が一方に偏って、皺などを生じるおそれは全くない。
【００２８】
従って、バリケードを再び使用する場合に、横棒１上で一方に偏ったシート１１を引き伸ばすという従来のようなわずらわしい位作業をなくすることができ、バリケード設置の作業性が大幅に向上するという利点が得られる。
【００２９】
このように、本実施の形態では、シート１１の一端部側１１ａを横棒１に巻付けて、その側縁１１ａに沿って複数組の締結部材１３、１４で接合すると共に、該締結部材１３、１４の内側で、横棒１に取設されている吊金具５の外側位置に、該吊金具５に近接して固定用締結部材１５、１６を取り付けた構成としている。
【００３０】
これによって、横棒１に取り付けられたシート１１を、一方の吊金具５の左側近傍および他方の吊金具５の右側近傍に位置する固定用締結部材１５、１６によって、横棒１に沿う方向への移動が規制できる。従って、シート１１が強風を受けたり、運搬時などにバリケードが立てられた場合にも、シート１１が一方にずれ込んで重なったり、シート材１１が下方にずり落ちて折り重なったりすることがなくなり、従って皺を生じるようなこともない。
【００３１】
本考案の他の実施例を図３を参照して説明する。
この実施態様に示すバリケート用シート１１は、横長のシート生地の中央部１１ｂの下部１１Ｃ付近に帯状シート片１２が形成されてなく、締結部材１４，１４が、シート１１に直接取着されている。
作用効果については、前期同様である。
【００３２】
さらに、本考案の他の実施例は、前記各締結部材１３，１４，１５，１６が、フック状体とこれに着脱可能なループ状体の２枚を噛み合わせる着脱自在の布製のテープで構成されている。各締結部材１３，１４，１５，１６の取付場所は、前記実施例と同様の形態にしても良いし、長尺な形態としても良い。
この構成により、シートをこれらのフック状とループ状の２枚を噛み合わせて着脱自在に簡単、迅速にバリケードの横棒に装着することができる。
【産業上の利用可能性】
【００３３】
本考案は、シート材が風を受けたり、バリケードが縦に置かれたりした場合でも、シート材自体が横棒の一端側へ偏って重なり、皺を生じることを確実に防止することができるという効果を有し、道路やビルディングなどの工事現場や各種イベントの領域を仕切るバリケードに装着されて、文字や図柄などを表示するために用いられるバリケード用シート等に有用である。
【図面の簡単な説明】
【００３４】
【図１】本考案の実施の形態によるバリケード用シートを示す平面図。
【図２】図１の実施態様の要部の拡大図を示し、要部を拡大した図で、（ａ）は、シート装填前の側面図、（ｂ）はシートを横棒に装填した状態を示す要部の断面図。
【図３】他の実施態様の要部の拡大図を示し、（ａ）は、シート装填前の側面図、（ｂ）はシートを横棒に装填した状態を示す要部の断面図。
【図４】従来のバリケードの一例を示す斜視図。
【図５】従来のバリケードの他の例を示す斜視図。
【図６】従来のバリケード用シートの一例を示す平面図。
【図７】図６に示すバリケード用シートの要部の拡大断面図。
【図８】図６に示すシート材をバリケードの横棒に取り付けた状態の要部断面図。
【符号の説明】
【００３５】
１…横棒、１１…バリケード用シート、１２…帯状シート片、１３，１５…雌型ホック、１４，１６…雄型ホック
【図１】
0003139379.tif 000003
【図２】
0003139379.tif 000004
【図３】
0003139379.tif 000005
【図４】
0003139379.tif 000006
【図５】
0003139379.tif 000007
【図６】
0003139379.tif 000008
【図７】
0003139379.tif 000009
【図８】
0003139379.tif 000010